(57)【要約】      （修正有）【課題】コストを抑え、環境保護に配慮しており、利便性と収納性を備えたパレット及びパレットサポートを提供する。【解決手段】パレット１は積載板７０及び複数のパレットサポート１０を含み、各パレットサポート１０が蓋体２０、支持板３０、支持壁４０、中空柱体５０及び底盤６０を含み、支持板３０が第１の孔部を含み、蓋体２０が第２の孔部を含み、底盤６０が第３の孔部を含み、支持壁４０と中空柱体５０が底盤６０上に設置され、支持板３０が支持壁４０上に設置され、中空柱体５０が第１の孔部を介して蓋体２０と相互に連結され、積載板７０が蓋体２０と支持板３０の間に支持されると共に、支持板３０と支持壁４０の材質が紙類である。【選択図】図１
0003142463.tif 000002
【実用新案登録請求の範囲】
【請求項１】
積載板を支持するために用いるパレットサポートであって、
前記パレットサポートが、
蓋体と、第１の孔部を含む支持板と、支持壁と、中空柱体と、底盤とを含み、
前記支持壁と前記中空柱体が、前記底盤上に設置され、
前記支持板が、前記支持壁上に設置され、且つ、
前記中空柱体が、前記第１の孔部を介して前記蓋体と相互に連結され、
前記積載板が、前記蓋体と前記支持板の間に支持されること、
を特徴とするパレットサポート。
【請求項２】
前記支持壁及び前記支持板の材質が紙類であること、
を特徴とする請求項１に記載のパレットサポート。
【請求項３】
前記中空柱体と前記底盤、或いは前記中空柱体と前記蓋体が、一体成型から成ること、
を特徴とする請求項１又は２に記載のパレットサポート。
【請求項４】
前記中空柱体と前記底盤、或いは前記中空柱体と前記蓋体が、螺合方式又は嵌合方式で分離可能に連結されること、
を特徴とする請求項１又は２に記載のパレットサポート。
【請求項５】
前記蓋体が、第２の孔部を含み、且つ、前記蓋体の前記第２の孔部が、前記支持板の前記第１の孔部と相通されたこと、
を特徴とする請求項１から４のいずれか一項に記載のパレットサポート。
【請求項６】
前記底盤が、第３の孔部を含み、且つ、
前記底盤の前記第３の孔部が、前記中空柱体、前記支持板の前記第１の孔部、及び前記蓋体の前記第２の孔部と相通されたこと、
を特徴とする請求項５に記載のパレットサポート。
【請求項７】
パレットであって、
複数の積載板孔部を備えた積載板と、
前記積載板を支持するために用いられる複数のパレットサポートとを含み、
各パレットサポートが、
蓋体と、第１の孔部を含む支持板と、支持壁と、中空柱体と、底盤とを含み、
前記支持壁と前記中空柱体が、前記底盤上に設置され、
前記支持板が、前記支持壁上に設置され、且つ、
前記中空柱体が、前記第１の孔部及び前記積載板孔部を介して前記蓋体と相互に連結され、
前記積載板が、前記蓋体と前記支持板の間に支持されること、
を特徴とするパレット。
【請求項８】
前記支持壁及び前記支持板の材質が紙類であること、
を特徴とする請求項７に記載のパレット。
【請求項９】
前記中空柱体と前記底盤、或いは前記中空柱体と前記蓋体が、一体成型から成ること、
を特徴とする請求項７又は８に記載のパレット。
【請求項１０】
前記中空柱体と前記底盤、或いは前記中空柱体と前記蓋体が、螺合方式又は嵌合方式で分離可能に連結されること、
を特徴とする請求項７又は８に記載のパレット。
【請求項１１】
前記蓋体が、第２の孔部を含み、且つ、
前記蓋体の前記第２の孔部が、前記積載板孔部及び前記支持板の前記第１の孔部と相通されたこと、
を特徴とする請求項７から１０のいずれか一項に記載のパレット。
【請求項１２】
前記底盤が、第３の孔部を含み、且つ、
前記底盤の前記第３の孔部が、前記中空柱体、前記支持板の前記第２の孔部、前記積載板孔部及び前記蓋体の前記第１の孔部と相通されたこと、
を特徴とする請求項１１に記載のパレット。
【考案の詳細な説明】
【技術分野】
【０００１】
本考案は、パレット及びそのパレットサポートに関し、特に、主な材質が紙類であるパレット及びパレットサポートに関する。
【背景技術】
【０００２】
パレットは、工業上よく利用される一種の運搬器材であり、物品が置きやすく、フォークリフトを使用して大量運搬ができるといった利点がある。そのため、パレットの使用量は増え続けている。現在、パレットの材質は木材を主としている。しかしながら、木材を使用したパレットは、重量があり、コストがかかるだけでなく、パレットの底部が水に浸ると木材が腐食する等の欠点がある。
【０００３】
パレット或いはパレット構造の従来技術は、例えば特許文献１において開示されたパレットサポート(Pallet Support)がある。このパレットサポートは、材質が高強度のプラスチックであり、外壁と内壁を含み、前記外壁上縁部にリブ状の延伸物が設けられ、支持強度を強化している。
【０００４】
環境保護の趨勢の要求とコストダウンを図るため、紙パレット等の関連製品もあり、例えば特許文献２では紙パレット(Paper Pallet)が開示されている。この紙パレットは、紙製の上板(Top Pad)及び上板の底端部に設置された複数の細長状のサポートブロック(Support Block)を含み、各サポートブロックはハニカム状(Honeycomb Configuration)の紙板を配列して形成される。
【０００５】
【特許文献１】米国特許第３,４３８,３４２号明細書
【特許文献２】米国特許第６,３５７,３６４号明細書
【考案の開示】
【考案が解決しようとする課題】
【０００６】
しかしながら、特許文献１に記載のパレットは、プラスチックを材料としているため、回収処理が困難であり、リサイクル利用が難しく、環境に配慮されていないという欠点がある。
【０００７】
また、特許文献２に記載のパレットは、サポートブロックの材質が紙類であるため、水に触れた後腐乱を防ぐことができないという欠点がある。また、その細長状のサポートブロックは、フォークリフトのフォークを特定の方向からのみ進入させることができるが、フォークリフトのフォークを任意の方向から進入させることはできない。
【０００８】
このため、価格が低廉で環境保護に配慮した、利便性の高いパレットサポートを提供し、先行技術の問題を改善する必要がある。
【０００９】
本考案の目的は、コストを抑えたパレット及びパレットサポートを提供することにある。
【００１０】
本考案の別の目的は、環境保護に配慮したパレット及びパレットサポートを提供することにある。
【００１１】
本考案のさらに別の目的は、利便性を備え、収納しやすいパレット及びパレットサポートを提供することにある。
【課題を解決するための手段】
【００１２】
上述の目的を達するため、本考案はパレット及びパレットサポートを提供する。パレットは積載板及び複数のパレットサポートを含み、各パレットサポートが蓋体、支持板、支持壁、中空柱体及び底盤を含む。そのうち支持板は第１の孔部を含み、蓋体は第２の孔部を含み、底盤は第３の孔部を含む。支持壁と中空柱体が底盤上に設置され、支持板が支持壁上に設置される。且つ、中空柱体が第１の孔部を介して蓋体と相互に連結され、積載板が蓋体と支持板の間に支持される。そのうち支持板と支持壁の材質は紙類とする。
【００１３】
本考案の構造は新規的であり、産業的利用価値を備えており、確実に効果が増進されるため、法に基づき実用新案登録を出願するものである。
【考案の効果】
【００１４】
本考案によれば、コストが低く、環境保護に配慮しており、利便性と収納しやすい特性を備えたパレット及びパレットサポートを提供することができる。
【考案を実施するための最良の形態】
【００１５】
審査官各位に本考案の技術内容について理解していただくため、以下、特に最良の具体的な実施の形態を示して説明する。
【００１６】
以下、図１の本考案のパレットを参照する。図１は本考案のパレットの構造を示す立体図である。
【００１７】
図１に示すように、本考案のパレット１は積載板７０及び前記積載板７０を支持するために用いられる複数のパレットサポート１０を含む。本考案の一実施例において、積載板７０は、複数の積載板孔部７１を含む。各パレットサポート１０は、各積載板孔部７１を介して積載板７０と相互に連結され、複数のパレットサポート１０が積載板７０を支持し、積載板７０に物品を積載し、さらに物品の保管や運搬を行うことができる。
【００１８】
本考案の一実施例において、各パレットサポート１０は、積載板７０と分離可能に連結され、パレット１を使用しないときは各パレットサポート１０と積載板７０を分離し、別々に収納または資源リサイクルを行うことができる。各パレットサポート１０と積載板７０の連結及び分離の方法については、以下でさらに説明する。本考案の一実施例において、積載板７０はハニカム状のダンボール紙板から形成されるが、本考案はこれに限らないものとする。また、本考案の一実施例において、積載板７０の表面は防水処理が施され、例えば一層の防水ワックスや撥水材料が塗布されるが、本考案はこれに限らないものとする。
【実施例１】
【００１９】
以下、図２及び図３の本考案のパレットサポートの実施例１について参照する。図２は、本考案のパレットサポートの実施例１の立体分解図である。また、図３は、本考案のパレットサポートの実施例１の立体組立図である。
【００２０】
図２に示すように、本考案は、図１に示す積載板７０を支持するために用いられるパレットサポート１０を提供する。パレットサポート１０は、蓋体２０、支持板３０、支持壁４０、中空柱体５０、及び底盤６０を含む。支持板３０は、第１の孔部３１を含み、蓋体２０は、第２の孔部２１を含み、且つ、底盤６０は第３の孔部６１を含む。支持壁４０と中空柱体５０は、底盤６０上に設置され、支持板３０は、支持壁４０上に設置される。且つ、中空柱体５０は、第１の孔部３１に穿通されて蓋体２０と相互に連結され、積載板７０は、蓋体２０と支持板３０の間に支持される。
【００２１】
本考案のパレットサポートの実施例１において、支持板３０と支持壁４０の材質は紙類とすることで、コストを抑え、且つ資源のリサイクルに便利となる。支持板３０は円形状とし、且つ支持壁４０は円柱状とするが、本考案はこれに限らないものとする。例えば、本考案の一実施例において、支持板３０と支持壁４０の材質はプラスチック又はその他の材質とすることができ、支持板３０は方形状とし、且つ支持壁４０は角柱状とすることができる。このようにしても本考案の目的を達することができる。
【００２２】
本考案のパレットサポートの実施例１において、蓋体２０、中空柱体５０、及び底盤６０の材質はプラスチックとするが、本考案はこれに限らないものとする。蓋体２０、中空柱体５０、及び底盤６０の材質にプラスチックを採用する理由は、連結部材（例えば螺合または嵌合部材）を製作しやすく、且つ防水効果を備えているためである。例えば、蓋体２０、中空柱体５０、及び底盤６０が雨水やその他の水分に触れたとき、水分が第２の孔部２１及び第１の孔部３１に沿って、中空柱体５０と第３の孔部６１を経て地面へと流れる。これにより、支持板３０と支持壁４０に対して水分の影響を発生しない。このほか、底盤６０にプラスチック材質を採用しているため、支持壁４０を保護し、支持壁４０が水分に触れて腐食することを防止できる。
【００２３】
本考案のパレットサポートの実施例１において、中空柱体５０と底盤６０は一体成型とし、蓋体２０はネジ山２２を含み、中空柱体５０はネジ溝５２を含むため、蓋体２０と中空柱体５０はネジ山２２とネジ溝５２を螺合させる方式で分離可能に連結されるが、本考案はこれに限らないものとする。例えば、本考案の一実施例において、蓋体２０にネジ溝を設置し、中空柱体５０にネジ山を設置しても、蓋体２０と中空柱体５０を螺合方式で分離可能に連結することができる。このほか、ネジ山とネジ溝の設計により、本考案のパレットサポート１０は螺合深さを調整することで異なる厚さの積載板７０に適用することができる。
【００２４】
図３に示すように、本考案のパレットサポートの実施例１において、パレットサポート１０の組み立て方式は、支持壁４０を底盤６０上に配置し、且つ支持板３０上の第１の孔部３１に中空柱体５０を穿通させ、支持壁４０上に配置する。続いて蓋体２０を中空柱体５０と螺合させる方式で連結する。
【実施例２】
【００２５】
以下、図４の本考案のパレットサポートの実施例２を参照する。図４は、本考案のパレットサポートの実施例２の立体分解図である。本実施例と実施例１の最大の違いは、蓋体２０と中空柱体５０の連結方式にある。図４に示すように、本考案のパレットサポートの実施例２において、蓋体２０は、複数の凸部２３を含み、中空柱体５０は、複数の凹孔５３を含み、蓋体２０は、凸部２３と中空柱体５０の凹孔５３を嵌合させる方式で分離可能に連結されるが、本考案はこれに限らないものとする。例えば、本考案の一実施例において、蓋体２０に複数の凹孔を設置し、中空柱体５０に複数の凸部を設置しても、蓋体２０と中空柱体５０を嵌合方式で分離可能に連結することができる。
【実施例３】
【００２６】
以下、図５の本考案のパレットサポートの実施例３を参照する。図５は、本考案のパレットサポートの実施例３の立体分解図である。本実施例と実施例１及び実施例２との最大の違いは、蓋体２０と中空柱体５０が一体成型されている点である。図５に示すように、本考案のパレットサポートの実施例３において、中空柱体５０は、ネジ山５４を含み、底盤６０は、ネジ溝６４を含み、中空柱体５０は、ネジ山５４と底盤６０のネジ溝６４を螺合させる方式で分離可能に連結されるが、本考案はこれに限らないものとする。例えば、本考案の一実施例において、中空柱体５０にネジ溝を設置し、底盤６０にネジ山を設置しても、中空柱体５０と底盤６０を螺合方式で分離可能に連結することができる。このほか、ネジ山とネジ溝の設計により、本考案のパレットサポート１０は、螺合深さの調整により、異なる厚さの積載板７０に適用することができる。
【００２７】
以下、図６の本考案のパレットサポート１０とパレット１の組立図を参照する。
【００２８】
図６に示すように、本考案の複数のパレットサポート１０と積載板７０は分離可能に相互に連結され、積載板７０に物品を積載することができる。複数のパレットサポート１０と積載板７０の連結方式は、中空柱体５０と底盤６０が一体成型されているとき、複数のパレットサポート１０の中空柱体５０を積載板７０の下方から複数の積載板孔部７１に穿通させ、積載板７０を支持板３０上に配置し、蓋体２０と中空柱体５０を連結させる。蓋体２０と中空柱体５０が一体成型されているとき、まず積載板７０をパレットサポート１０の支持板３０上に配置し、中空柱体５０を積載板７０上方から第２の孔部２１と積載板孔部７１に穿通させ、中空柱体５０と底盤６０を連結させる。
【００２９】
上述をまとめると、本考案はコストが抑えられ、環境保護に配慮しており、利便性と収納しやすい特性を備えたパレット及びパレットサポートを提供することができる。また、本考案は目的、手段及び効果のいずれにおいても、従来技術とは異なる特徴を備えており、審査官各位には一日も早く特許を賜り、社会の役に立てることができるよう願うものである。上述のいくつかの実施例は説明のため例を挙げたのみであり、本考案が主張する権利範囲は実用新案登録請求の範囲に基づくものとし、上述の実施例に限られないことに注意が必要である。
【図面の簡単な説明】
【００３０】
【図１】本考案のパレットの構造を示す立体図である。
【図２】本考案のパレットサポートの実施例１の立体分解図である。
【図３】本考案のパレットサポートの実施例１の立体組立図である。
【図４】本考案のパレットサポートの実施例２の立体分解図である。
【図５】本考案のパレットサポートの実施例３の立体分解図である。
【図６】本考案のパレットとパレットサポートの立体組立図である。
【符号の説明】
【００３１】
１          パレット
１０        パレットサポート
２０        蓋体
２１        第２の孔部
２２        ネジ山
２３        凸部
３０        支持板
３１        第１の孔部
４０        支持壁
５０        中空柱体
５２、６４  ネジ溝
５３        凹孔
５４        ネジ山
６０        底盤
６１        第３の孔部
７０        積載板
７１        積載板孔部
【図１】
0003142463.tif 000003
【図２】
0003142463.tif 000004
【図３】
0003142463.tif 000005
【図４】
0003142463.tif 000006
【図５】
0003142463.tif 000007
【図６】
0003142463.tif 000008